(57)【要約】【課題】リチウムイオン二次電池の負極活物質として用いた際に、電池容量の増加、サイクル特性及び初期充放電特性を向上させることが可能な負極活物質、この負極活物質を用いた負極電極を有するリチウムイオン二次電池を提供する。【解決手段】非水電解質二次電池の負極材用の負極活物質であって、前記負極活物質は、Ｌｉ６Ｓｉ２Ｏ７、Ｌｉ２Ｓｉ３Ｏ５、Ｌｉ４ＳｉＯ４のうち少なくとも１種以上を含むケイ素系材料（ＳｉＯｘ：０．５≦ｘ≦１．６）を含有し、前記負極活物質の表層の少なくとも一部に結晶化したフッ素化合物、又は−ＣＦ２−ＣＦ２−単位を有する化合物あるいはこれらの両方を含むものであることを特徴とする負極活物質。【選択図】  図１
2015149221.tif 000002
【特許請求の範囲】
【請求項１】
非水電解質二次電池の負極材用の負極活物質であって、
前記負極活物質は、Ｌｉ６Ｓｉ２Ｏ７、Ｌｉ２Ｓｉ３Ｏ５、Ｌｉ４ＳｉＯ４のうち少なくとも１種以上を含むケイ素系材料（ＳｉＯｘ：０．５≦ｘ≦１．６）を含有し、前記負極活物質の表層の少なくとも一部に結晶化したフッ素化合物、又は−ＣＦ２−ＣＦ２−単位を有する化合物あるいはこれらの両方を含むものであることを特徴とする負極活物質。
【請求項２】
前記結晶化したフッ素化合物は二炭酸ジ（トリフルオロメチル）であることを特徴とする請求項１に記載の負極活物質。
【請求項３】
前記−ＣＦ２−ＣＦ２−単位を有するフッ素化合物は、ポリテトラフルオロエチレン、ポリヘキサフルオロプロピレン、ポリパーフルオロケロセンの少なくとも１種以上から選ばれるものであることを特徴とする請求項１又は請求項２に記載の負極活物質。
【請求項４】
前記負極活物質の少なくとも一部に鱗珪石構造を有するＳｉＯ２を含むことを特徴とする請求項１から請求項３のいずれか１項に記載の負極活物質。
【請求項５】
前記ケイ素系材料の表層部は炭素、炭酸リチウム、フッ化リチウムのうちの少なくとも１種にて被覆されたものであることを特徴とする請求項１から請求項４のいずれか１項に記載の負極活物質。
【請求項６】
前記ケイ素系材料の表層部がＴＯＦ−ＳＩＭＳ  スペクトルから得られる陰イオンとして、Ｏ２ＳｉＦ−、ＯＳｉＦ−のうち少なくとも１種以上を含むことを特徴とする請求項１から請求項５のいずれか１項に記載の負極活物質。
【請求項７】
前記負極活物質のケイ素系材料の表層は、炭素系材料、炭酸リチウムとフッ化リチウムの少なくとも一方、及び二炭酸ジ（トリフルオロメチル）と−ＣＦ２−ＣＦ２−単位を有するフッ素化合物の少なくとも一方が、この順に被覆された層状構造を有することを特徴とする請求項１から請求項６のいずれか１項に記載の負極活物質。
【請求項８】
前記負極活物質は２９Ｓｉ−ＭＡＳ−ＮＭＲ  スペクトルから得られるケミカルシフト値として−６０〜−１００ｐｐｍで与えられるＳｉ領域のピーク強度値Ａと、−１００〜−１５０ｐｐｍに与えられるＳｉＯ２領域のピーク強度値Ｂが、Ａ／Ｂ≧０．８という関係を満たすことを特徴とする請求項１から請求項７のいずれか１項に記載の負極活物質。
【請求項９】
前記負極活物質は、Ｘ線回折により得られるＳｉ（１１１）結晶面に起因する回折ピークの半値幅（２θ）が１．２°以上であり、前記Ｓｉ（１１１）結晶面に起因する結晶子サイズは７．５ｎｍ以下であることを特徴とする請求項１から請求項８のいずれか１項に記載の負極活物質。
【請求項１０】
請求項１から請求項９のいずれか１項に記載の負極活物質からなる非水電解質二次電池用負極電極。
【請求項１１】
前記非水電解質二次電池用負極電極は炭素系活物質を含み、負極活物質材の総量に対するケイ素系活物質の比が６ｗｔ％以上である事を特徴とする請求項１０に記載の非水電解質二次電池用負極電極。
【請求項１２】
請求項１０又は請求項１１に記載の非水電解質二次電池用負極電極を有する非水電解質二次電池。
【発明の詳細な説明】
【技術分野】
【０００１】
本発明は、非水電解質二次電池の負極材用の負極活物質、及び非水電解質二次電池用負極電極、並びに非水電解質二次電池に関する。
【背景技術】
【０００２】
近年、モバイル端末などに代表される小型の電子機器が広く普及しており、さらなる小型化、軽量化及び長寿命化が強く求められている。このような市場要求に対し、特に小型かつ軽量で高エネルギー密度を得ることが可能な二次電池の開発が進められている。
この二次電池は、小型の電子機器に限らず、自動車などに代表される大型の電子機器、家屋などに代表される電力貯蔵システムへの適用も検討されている。
【０００３】
その中でも、リチウムイオン二次電池は小型かつ高容量化が行いやすく、また、鉛電池、ニッケルカドミウム電池よりも高いエネルギー密度が得られるため、大いに期待されている。
【０００４】
上記のリチウムイオン二次電池は、正極および負極、セパレータと共に電解液を備えており、負極は充放電反応に関わる負極活物質を含んでいる。
【０００５】
この負極活物質としては、炭素材料が広く使用されている一方で、最近の市場要求から電池容量のさらなる向上が求められている。
電池容量向上のために、負極活物質材としてケイ素を用いることが検討されている。なぜならば、ケイ素の理論容量（４１９９ｍＡｈ／ｇ）は黒鉛の理論容量（３７２ｍＡｈ／ｇ）よりも１０倍以上大きいため、電池容量の大幅な向上を期待できるからである。
負極活物質材としてのケイ素材の開発はケイ素単体だけではなく、合金、酸化物に代表される化合物などについても検討されている。
また、活物質形状は、炭素材では標準的な塗布型から、集電体に直接堆積する一体型まで検討されている。
【０００６】
しかしながら、負極活物質としてケイ素を主原料として用いると、充放電時に負極活物質が膨張収縮するため、主に負極活物質表層近傍で割れやすくなる。また、活物質内部にイオン性物質が生成し、負極活物質が割れやすい物質となる。
負極活物質表層が割れると、それによって新表面が生じ、活物質の反応面積が増加する。この時、新表面において電解液の分解反応が生じるとともに、新表面に電解液の分解物である被膜が形成されるため電解液が消費される。このためサイクル特性が低下しやすくなる。
【０００７】
これまでに、電池初期効率やサイクル特性を向上させるために、ケイ素材を主材としたリチウムイオン二次電池用負極材料、電極構成についてさまざまな検討がなされている。
【０００８】
具体的には、良好なサイクル特性や高い安全性を得る目的で、気相法を用いケイ素及びアモルファス二酸化ケイ素を同時に堆積させている（例えば特許文献１参照）。
また、高い電池容量や安全性を得るために、ケイ素酸化物粒子の表層に炭素材（電子伝導材）を設けている（例えば特許文献２参照）。
さらに、サイクル特性を改善するとともに高入出力特性を得るために、ケイ素及び酸素を含有する活物質を作製し、かつ、集電体近傍での酸素比率が高い活物質層を形成している（例えば特許文献３参照）。
また、サイクル特性向上させるために、ケイ素活物質中に酸素を含有させ、平均酸素含有量が４０ａｔ％以下であり、かつ集電体に近い場所で酸素含有量が多くなるように形成している（例えば特許文献４参照）。
【０００９】
また、初回充放電効率を改善するためにＳｉ相、ＳｉＯ２、ＭｙＯ金属酸化物を含有するナノ複合体を用いている（例えば特許文献５参照）。
また、サイクル特性改善のため、ＳｉＯｘ（０．８≦ｘ≦１．５、粒径範囲＝１μｍ〜５０μｍ）と炭素材を混合して高温焼成している（例えば特許文献６参照）。
また、サイクル特性改善のために、負極活物質中におけるケイ素に対する酸素のモル比を０．１〜１．２とし、活物質、集電体界面近傍におけるモル比の最大値、最小値との差が０．４以下となる範囲で活物質の制御を行っている（例えば特許文献７参照）。
また、電池負荷特性を向上させるため、リチウムを含有した金属酸化物を用いている（例えば特許文献８参照）。
また、サイクル特性を改善させるために、ケイ素材表層にシラン化合物などの疎水層を形成している（例えば特許文献９参照）。
また、サイクル特性改善のため、酸化ケイ素を用い、その表層に黒鉛被膜を形成することで導電性を付与している（例えば特許文献１０参照）。特許文献１０において、黒鉛被膜に関するＲＡＭＡＮスペクトルから得られるシフト値に関して、１３３０ｃｍ−１及び１５８０ｃｍ−１にブロードなピークが現れるとともに、それらの強度比Ｉ１３３０／Ｉ１５８０が１．５＜Ｉ１３３０／Ｉ１５８０＜３となっている。
また、高い電池容量、サイクル特性の改善のため、二酸化ケイ素中に分散されたケイ素微結晶相を有する粒子を用いている（例えば、特許文献１１参照）。
また、過充電、過放電特性を向上させるために、ケイ素と酸素の原子数比を１：ｙ（０＜ｙ＜２）に制御したケイ素酸化物を用いている（例えば特許文献１２参照）。
また、高い電池容量、サイクル特性の改善のため、ケイ素と炭素の混合電極を作成しケイ素比率を５ｗｔ％以上１３ｗｔ％以下で設計している（例えば、特許文献１３参照）。
【先行技術文献】
【特許文献】
【００１０】
【特許文献１】特開２００１−１８５１２７号公報
【特許文献２】特開２００２−０４２８０６号公報
【特許文献３】特開２００６−１６４９５４号公報
【特許文献４】特開２００６−１１４４５４号公報
【特許文献５】特開２００９−０７０８２５号公報
【特許文献６】特開２００８−２８２８１９号公報
【特許文献７】特開２００８−２５１３６９号公報
【特許文献８】特開２００８−１７７３４６号公報
【特許文献９】特開２００７−２３４２５５号公報
【特許文献１０】特開２００９−２１２０７４号公報
【特許文献１１】特開２００９−２０５９５０号公報
【特許文献１２】特許第２９９７７４１号明細書
【特許文献１３】特開２０１０−０９２８３０号公報
【発明の概要】
【発明が解決しようとする課題】
【００１１】
上述したように、近年、電子機器に代表される小型のモバイル機器は高性能化、多機能化がすすめられており、その主電源であるリチウムイオン二次電池は電池容量の増加が求められている。
この問題を解決する１つの手法として、ケイ素材を主材として用いた負極からなるリチウムイオン二次電池の開発が望まれている。
また、ケイ素材を用いたリチウムイオン二次電池は、炭素材を用いたリチウムイオン二次電池と同等に近いサイクル特性が望まれている。
しかしながら、炭素材を用いたリチウムイオン二次電池と同等のサイクル安定性を示す負極活物質を提案するには至っていなかった。
【００１２】
本発明は、上記問題点に鑑みてなされたものであって、リチウムイオン二次電池の負極活物質として用いた際に、電池容量の増加、サイクル特性及び初期充放電特性を向上させることが可能な負極活物質、この負極活物質を用いた負極電極を有するリチウムイオン二次電池を提供することを目的とする。
【課題を解決するための手段】
【００１３】
上記目的を達成するために、本発明によれば、非水電解質二次電池の負極材用の負極活物質であって、前記負極活物質は、Ｌｉ６Ｓｉ２Ｏ７、Ｌｉ２Ｓｉ３Ｏ５、Ｌｉ４ＳｉＯ４のうち少なくとも１種以上を含むケイ素系材料（ＳｉＯｘ：０．５≦ｘ≦１．６）を含有し、前記負極活物質の表層の少なくとも一部に結晶化したフッ素化合物、又は−ＣＦ２−ＣＦ２−単位を有する化合物あるいはこれらの両方を含むものであることを特徴とする負極活物質を提供する。
【００１４】
このように、負極活物質は、上記のケイ素系材料を含有し、更に上記の化合物を表層に有するものとすることで、このケイ素系材料を含有する負極活物質を非水電解質二次電池の負極活物質として用いた際に、高い電池容量を有するとともに、良好なサイクル特性及び初期充放電特性が得られる。
【００１５】
このとき、前記結晶化したフッ素化合物は二炭酸ジ（トリフルオロメチル）であることが好ましい。
本発明では、このような結晶化したフッ素化合物を好適に用いることができる。
【００１６】
またこのとき、前記−ＣＦ２−ＣＦ２−単位を有するフッ素化合物は、ポリテトラフルオロエチレン、ポリヘキサフルオロプロピレン、ポリパーフルオロケロセンの少なくとも１種以上から選ばれるものであることが好ましい。
本発明では、このような−ＣＦ２−ＣＦ２−単位を有する化合物を好適に用いることができる。
【００１７】
このとき、前記負極活物質の少なくとも一部に鱗珪石構造を有するＳｉＯ２を含むことが好ましい。
負極活物質がこのような構造を持つＳｉＯ２を含んでいれば、負極活物質の割れが抑制され、良好なサイクル特性及び初期充放電特性が得られる。
【００１８】
またこのとき、前記ケイ素系材料の表層部は炭素、炭酸リチウム、フッ化リチウムのうちの少なくとも１種にて被覆されたものであることが好ましい。
これらの物質で被覆されたケイ素系材料であれば、さらに良好なサイクル特性及び初期充放電特性が得られる。
【００１９】
このとき、前記ケイ素系材料の表層部がＴＯＦ−ＳＩＭＳ  スペクトルから得られる陰イオンとして、Ｏ２ＳｉＦ−、ＯＳｉＦ−のうち少なくとも１種以上を含むことが好ましい。
このようなものであれば、ケイ素系材料の表層における電解液反応を低減し、より良好なサイクル特性を得ることができる。
【００２０】
またこのとき、前記負極活物質のケイ素系材料の表層は、炭素系材料、炭酸リチウムとフッ化リチウムの少なくとも一方、及び二炭酸ジ（トリフルオロメチル）と−ＣＦ２−ＣＦ２−単位を有するフッ素化合物の少なくとも一方が、この順に被覆された層状構造を有することが好ましい。
このような構造であれば、より良好なサイクル特性及び初期充放電特性が得られる。
【００２１】
このとき、前記負極活物質は２９Ｓｉ−ＭＡＳ−ＮＭＲ  スペクトルから得られるケミカルシフト値として−６０〜−１００ｐｐｍで与えられるＳｉ領域のピーク値強度値Ａと、−１００〜−１５０ｐｐｍに与えられるＳｉＯ２領域のピーク値強度値Ｂが、Ａ／Ｂ≧０．８という関係を満たすことが好ましい。
負極活物質として、上記のピーク値強度値比を有するものを用いることで、さらに良好な初期充放電特性が得られる。
【００２２】
またこのとき、前記負極活物質は、Ｘ線回折により得られるＳｉ（１１１）結晶面に起因する回折ピークの半値幅（２θ）が１．２°以上であり、前記Ｓｉ（１１１）結晶面に起因する結晶子サイズは７．５ｎｍ以下であることが好ましい。
このような負極活物質であれば、電池特性を悪化させることなく、安定的なリチウム化合物の生成が容易にできる。
【００２３】
また、本発明では、上記の本発明の負極活物質からなる非水電解質二次電池用負極電極を提供する。
このような負極活物質を含む負極電極であれば、高容量であるとともに良好なサイクル特性及び初期充放電特性が得られる。
【００２４】
またこのとき、前記非水電解質二次電池用負極電極は炭素系活物質を含み、負極活物質材の総量に対するケイ素系活物質の比が６ｗｔ％以上である事が好ましい。
このようなものであれば、さらに高い体積エネルギー密度を持つ非水電解質二次電池用負極電極が得られる。
【００２５】
更に、本発明では、上記の非水電解質二次電池用負極電極を有する非水電解質二次電池を提供する。
このような負極電極を用いた非水電解質二次電池であれば、高容量であるとともに良好なサイクル特性及び初期充放電特性が得られる。
【発明の効果】
【００２６】
以上のように、本発明の負極活物質は、非水電解質二次電池の負極活物質として用いた際に、高容量で良好なサイクル特性及び初期充放電特性が得られる。
【図面の簡単な説明】
【００２７】
【図１】本発明の負極活物質を含むリチウムイオン二次電池用負極の構成を示す断面図である。
【図２】本発明の負極活物質を製造する際に使われるバルク内改質装置である。
【図３】本発明の負極活物質を含むリチウム二次電池の構成例（ラミネートフィルム型）を表す図である。
【図４】負極活物質粒子の表層に堆積した二炭酸ジ（トリフルオロメチル）及び鱗珪石構造を有する二酸化ケイ素を示すＸＲＤ（Ｘ−ｒａｙ  ｄｅｆｆｒａｃｔｉｏｎ）図である。
【図５】負極活物質粒子の表層における陰イオン質量スペクトルを示す図である。
【図６】負極活物質中においてケイ素系活物質の比率を増加させた場合の電池容量の増加率を示す図である。
【発明を実施するための形態】
【００２８】
以下、本発明について、実施態様の一例として、図を参照しながら詳細に説明するが、本発明はこれに限定されるものではない。
前述のように、リチウムイオン二次電池の電池容量を増加させる１つの手法として、ケイ素材を主材として用いた負極をリチウムイオン二次電池の負極として用いることが検討されている。
このケイ素材を用いたリチウムイオン二次電池は、炭素材を用いたリチウムイオン二次電池と同等に近いサイクル特性が望まれているが、炭素材を用いたリチウムイオン二次電池と同等のサイクル安定性を示す負極活物質を提案するには至っていなかった。
【００２９】
そこで、発明者らは、リチウムイオン二次電池の負極として用いた際に、良好なサイクル特性が得られる負極活物質について鋭意検討を重ねた。
その結果、Ｌｉ６Ｓｉ２Ｏ７、Ｌｉ２Ｓｉ３Ｏ５、Ｌｉ４ＳｉＯ４のうち少なくとも１種以上を含むＳｉＯｘ（０．５≦ｘ≦１．６）を有するとともに、表層の少なくとも一部に結晶化したフッ素化合物、又は−ＣＦ２−ＣＦ２−単位を有する化合物あるいはこれらの両方を含む負極活物質をリチウムイオン二次電池の負極活物質として用いた際に、良好なサイクル特性及び初期充放電特性が得られることを見出し、本発明を完成させた。
【００３０】
＜リチウムイオン二次電池用負極＞
まず、本発明の非水電解質二次電池の負極材用の負極活物質を含んだリチウムイオン二次電池用負極について説明する。
図１は、本発明の一実施形態におけるリチウムイオン二次電池用負極（以下、「負極」と記述）の断面構成を表している。
【００３１】
［負極の構成］
図１に示すように、負極１０は、負極集電体１１の上に負極活物質層１２を有する構成になっている。また、負極活物質層１２は負極集電体１１の両面、又は、片面だけに設けられていても良い。さらに、本発明の負極活物質が用いられたものであれば、負極集電体１１はなくてもよい。
【００３２】
［負極集電体］
負極集電体１１は、優れた導電性材料であり、機械的な強度に長けたもので構成される。このような導電性材料として、例えば銅（Ｃｕ）やニッケル（Ｎｉ）が挙げられる。また、この導電性材料は、リチウム（Ｌｉ）と金属間化合物を形成しない材料である事が好ましい。
【００３３】
負極集電体１１は、主元素以外に炭素（Ｃ）や硫黄（Ｓ）を含んでいる事が好ましい。
なぜならば、負極集電体の物理的強度が向上するためである。
特に充電時に膨張する活物質層を有する場合、集電体を含む電極変形を抑制する効果がある。
上記の含有元素の含有量は、特に限定されないが、中でも１００ｐｐｍ以下であることが好ましい。なぜならば、より高い変形抑制効果が得られるからである。
【００３４】
また、負極集電体表面は、粗化されていても良いし、粗化されていなくても良い。粗化されている負極集電体としては、例えば電解処理、エンボス処理、又は化学エッチングされた金属箔等が挙げられる。粗化されていない負極集電体としては、例えば圧延金属箔等が挙げられる。
【００３５】
［負極活物質層］
負極活物質層は、リチウムイオンを吸蔵、放出可能な複数の粒子状の負極活物質を含んでおり、電池設計上、さらに負極結着剤や導電助剤など、他の材料を含んでいても良い。
【００３６】
本発明の負極活物質は、少なくともリチウムイオンの吸蔵放出可能なコア部と、表層の少なくとも一部に、結晶化したフッ素化合物、又は−ＣＦ２−ＣＦ２−単位を有する化合物あるいはこれらの両方を含んでいる。また、炭素などの導電性被覆や炭酸リチウムが負極活物質の表面の少なくとも一部を被覆していても良い。これらの場合、被覆部は島状、膜状どちらでも効果がある。
【００３７】
負極活物質粒子は、例えばリチウムイオンを吸蔵、放出可能なコア部と、導電性が得られる炭素被覆部、また電解液の分解反応抑制効果があるフッ素化合物、炭酸リチウム、耐水性の高いフッ素化合物部からなるものとできる。この場合、炭素被覆部の少なくとも一部でリチウムイオンの吸蔵放出が行われても良い。
【００３８】
また、本発明の負極活物質はケイ素系材料（ＳｉＯｘ：０．５≦ｘ≦１．６）を含有しており、ケイ素系材料の組成としてはｘが１に近い方が好ましい。なぜならば、ｘの値が１に近いほど良好なサイクル特性が得られるからである。また、本発明におけるケイ素系材料の組成は必ずしも酸化ケイ素材の純度が１００％であることを意味しているわけではなく、微量の不純物元素を含んでいても良い。
【００３９】
ここで、負極活物質のケイ素系材料は、２９Ｓｉ−ＭＡＳ−ＮＭＲ  スペクトルから得られるケミカルシフト値として、−６０〜−１００ｐｐｍで与えられるＳｉ領域のピーク強度値Ａと−１００〜−１５０ｐｐｍに与えられるＳｉＯ２領域のピーク強度値Ｂが、Ａ／Ｂ≧０．８というピーク強度比の関係を満たすことが好ましい。
このようなものであれば、安定した電池特性を得ることができる。
【００４０】
なお、２９Ｌｉ−ＭＡＳ−ＮＭＲ  ｓｐｅｃｔｒｕｍの測定において、例えば装置としてＢｒｕｋｅｒ社製７００ＮＭＲ分光器を用い、プローブとして４ｍｍＨＲ−ＭＡＳローター  ５０μＬを用い、試料回転速度は１０ｋＨｚとし、測定環境温度を２５℃として測定することができる。
【００４１】
本発明では、ケイ素系材料であるケイ素酸化物内に生成するＳｉＯ２成分の一部をＬｉ化合物へ選択的に変更する。
このＬｉ化合物としては、Ｌｉ６Ｓｉ２Ｏ７、Ｌｉ２Ｓｉ３Ｏ５、Ｌｉ４ＳｉＯ４のうち少なくとも１種以上を選択する。これらのＬｉ化合物は、特に良い電池特性を示す。選択的化合物（Ｌｉ化合物）の作成方法としては、電気化学法を用いると良い。電気化学法では、リチウム対極に対する電位規制やまたは電流規制などの条件を変更することで選択的化合物の作製が可能となる。
また、選択的化合物は一部電気化学法により生成したのち、炭酸雰囲気下、または酸素雰囲気下などで乾燥させることでより緻密な物質を得られる。
また、電気化学法を用い粒子表層にＬｉＦ、Ｌｉ２ＣＯ３を生成する事で電池充放電に伴う電解液の分解を抑制する事が可能となる。
これらのＬｉ化合物は上記のようなＮＭＲとＸＰＳで定量可能である。例えば、ＸＰＳでは、装置としてＸ線光電子分光器を用い、Ｘ線源を単色化Ａｌ  Ｋα線、Ｘ線スポットの直径を１００μｍ、Ａｒイオン銃スパッタ条件を０．５ｋＶ／２ｍｍ×２ｍｍとして測定することができる。
【００４２】
また、本発明では、負極活物質の少なくとも一部に鱗珪石構造（トリディマイト）を有するＳｉＯ２を含むことが好ましい。これは、ＳｉＯＸ材の析出板温度、レート、また炭素層堆積時の反応温度を制御する事で生成させることができる。
負極活物質に含まれるＳｉＯ２が鱗珪石構造を有する事で充電に伴う負極活物質の割れが抑制される。
【００４３】
また本発明では、上記したようにケイ素系材料の表層は結晶化したフッ素化合物、又は−ＣＦ２−ＣＦ２−単位を有する化合物あるいはこれらの両方を含むものであることを特徴とするが、上記の結晶化したフッ素化合物は、二炭酸ジ（トリフルオロメチル）であることが好ましい。
特にフッ素化合物は結晶化する事によって耐水性が飛躍的に向上するため、スラリー化の際にゲル化が起こり難くなるとともに、バルク内のＬｉ化合物を安定した状態を保つことができる。
−ＣＦ２−ＣＦ２−単位を有する化合物としては、ＣＦ２＝ＣＦ２結合を有する化合物であるテトラフルオロエチレン、ヘキサフルオロプロピレン、パーフルオロケロセンの重合体であるポリテトラフルオロエチレン、ポリヘキサフルオロプロピレン、ポリパーフルオロケロセンの少なくとも１種以上から選ばれるものであることが好ましい。
これらの化合物も耐水性が高く、スラリー化の際にゲル化が起こり難くなるとともに、バルク内のＬｉ化合物を安定した状態を保つことができる。
上記の結晶化したフッ素化合物、−ＣＦ２−ＣＦ２−単位を有する化合物のどちらの化合物も溶媒中に溶けた状態にケイ素系材料の粉末を浸し、乾かす事で表面被覆が可能となる。
【００４４】
図４は、ＸＲＤ（Ｘ線回折）により得られた負極活物質の表層に堆積する二炭酸ジ（トリフルオロメチル）及び鱗珪石構造を有する二酸化ケイ素の回折ピークと半値幅を示す図である。
ＸＲＤで測定されるスペクトルにより、上記の鱗珪石構造を有する二酸化ケイ素及び二炭酸ジ（トリフルオロメチル）を確認できる。
【００４５】
本発明を用いることで、Ｓｉ領域のＬｉ化合物化を低減、または防止することが可能となり、大気中、または水系スラリー中、溶剤スラリー中で安定した負極活物質となる。
またランダムに化合物化する熱改質に対し、より安定した負極活物質を作ることが可能である。
【００４６】
さらに、本発明では、ケイ素系材料の表層部は炭素、炭酸リチウム、フッ化リチウムのうちの少なくとも１種にて被覆されたものであることが好ましい。
このようなものであれば、特に電池初期効率の向上が得られると共に、ケイ素系材料の長期保存安定性が向上する。さらに、炭素層は活物質間の導通を得やすく電池特性を向上させることができる。
【００４７】
また、ケイ素系材料の表層に、陰イオンＯ２ＳｉＦ−、ＯＳｉＦ−のうち少なくとも１種以上を含むことが好ましい。
なぜならば、特に表層での電解液反応を低減し、良好な電池特性が得られるからである。
【００４８】
更に、負極活物質のケイ素系材料の表層は、炭素系材料、炭酸リチウムとフッ化リチウムの少なくとも一方、及び二炭酸ジ（トリフルオロメチル）と−ＣＦ２−ＣＦ２−単位を有するフッ素化合物の少なくとも一方が、この順に被覆された層状構造を有することが好ましい。
このようなものであれば、より良好なサイクル特性及び初期充放電特性が得られる。
【００４９】
また、負極活物質の表層のフッ素化合物以外の材料の結晶性は低いほどよく、Ｘ線回折により得られるＳｉ（１１１）結晶面に起因する回折ピークの半値幅（２θ）は１．２°以上であると共に、その結晶面に起因する結晶子サイズは７．５ｎｍ以下である事が望ましい。
特にＳｉ結晶の存在が少なければ電池特性を悪化させることがほとんどなく、安定的なＬｉ化合物の生成がより容易になる。
【００５０】
負極活物質の粒子のメジアン径は特に限定されないが、０．５μｍ〜２０μｍであることが好ましい。
なぜならば、充放電時においてリチウムイオンの吸蔵放出がされやすくなると共に、負極活物質粒子が割れにくくなるからである。０．５μｍ以上の粒径であれば表面積が増加し過ぎないため電池不可逆容量が増加し難い。また、メジアン径が２０μｍ以下である場合、粒子が割れ難く、新生面が出難いものとできる。
【００５１】
ケイ素系材料に炭素材を被覆する場合、炭素材被覆部の平均厚さは特に限定されないが、１ｎｍ〜５０００ｎｍ以下であることが望ましい。
このような範囲の平均厚さであれば、電気伝導性を向上させる事が可能である。そして、電池特性を悪化させる事がなく、電池容量が低下することもない。
【００５２】
この炭素材被覆部の平均厚さは以下の手順により算出される。まず、ＴＥＭ（透過型電子顕微鏡）により任意の倍率で負極活物質を観察する。この倍率は厚さを測定するため目視で確認できる倍率が好ましい。続いて、任意の１５点において、炭素材被覆部の厚さを測定する。このとき、できるだけ特定の場所に測定位置を集中させず、広くランダムに測定位置を設定することが好ましい。最後に測定結果から厚さの平均値を算出する。
【００５３】
また、炭素材の被覆率は特に限定されないが、できるだけ高い方が望ましい。中でも３０％以上であれば、十分な電気伝導性が得られる。
これらの炭素材被覆手法は特に限定されないが、糖炭化法、炭化水素ガスの熱分解法が好ましい。これらの方法であれば、炭素材の被覆率を向上させることができるからである。
【００５４】
負極結着剤として、例えば高分子材料、合成ゴムなどのいずれか１種類以上があげられる。高分子材料は、例えば、ポリフッ化ビニリデン、ポリイミド、ポリアミドイミド、アラミド、ポリアクリル酸、ポリアクリル酸リチウム、あるいはカルボキシメチルセルロースなどが挙げられる。合成ゴムは、例えば、スチレンブタジエン系ゴム、フッ素系ゴム、あるいはエチレンプロピレンジエンなどが挙げられる。
【００５５】
負極導電助剤としては、例えば、カーボンブラック、アセチレンブラック、黒鉛、ケチェンブラック、カーボンナノチューブ、カーボンナノファイバーなどの炭素材料のいずれか１種以上があげられる。
【００５６】
負極活物質層１２は、炭素材料と混合状態で作成してもよい。負極活物質層１２の電気抵抗が低下すると共に、充電に伴う膨張応力を緩和する事が可能となる。この炭素材料は、例えば、熱分解炭素類、コークス類、ガラス状炭素繊維、有機高分子化合物焼成体、カーボンブラック類などがある。
【００５７】
負極活物質層１２は、例えば塗布法で形成される。塗布法とは負極活物質粒子と上記した結着剤など、また必要に応じて導電助剤、炭素材料を混合したのち、有機溶剤や水などに分散させ塗布する方法である。
【００５８】
［負極の製造方法］
この負極は、例えば以下の手順により製造される。
酸化珪素ガスを発生する原料を不活性ガスの存在下もしくは減圧下９００度〜１６００度の温度範囲で加熱し、酸化ケイ素ガスを発生させる。
この場合、原料は金属珪素粉末と二酸化珪素粉末との混合であり、金属珪素粉末の表面酸素及び反応炉中の微量酸素の存在を考慮すると、混合モル比が、０．８＜（金属珪素粉末）／（二酸化珪素粉末）＜１．３の範囲であることが望ましい。
粒子中のＳｉ結晶子は仕込み範囲や気化温度の変更、また生成後の熱処理で制御される。
発生したガスは吸着板に堆積される。反応炉内温度を１００度以下に下げた状態で堆積物を取出し、ボールミル、ジェットミルなどを用いて粉砕、粉末化を行う。
【００５９】
得られた粉末材料の表層に炭素層を生成する手法としては、熱分解ＣＶＤが望ましい。熱分解ＣＶＤは炉内にセットした酸化ケイ素粉末と炉内に炭化水素ガスを充満させ炉内温度を昇温させる。
分解温度は特に限定しないが特に１２００度以下が望ましい。より望ましいのは９５０度以下であり、この温度範囲であれば活物質粒子の不均化を抑制する事が可能である。
【００６０】
炭化水素ガスは特に限定する事はないが、ＣｎＨｍ組成のうち３≧ｎのものが望ましい。
なぜならば、製造コストが低く、分解生成物の物性が良いからである。
【００６１】
バルク内改質は電気化学的にＬｉを挿入し得ることが望ましい。この時、挿入電位、脱離電位の調整や電流密度、浴槽温度、挿入脱離回数を変化させることでバルク内生成物質を制御することができる。
特に装置構造を限定する事はないが、例えば、図２で得られる装置構造で作成可能である。
バルク内改質装置２０は、有機溶媒２３で満たされた浴槽２７と、浴槽２７内に配置され、電源２６の一方に接続された陽電極（リチウム源）２１と、浴槽２７内に配置され、電源２６の他方に接続され、酸化ケイ素粉末２２を格納した粉末格納容器２５と、陽電極２１と粉末格納容器２５との間に設けられたセパレータ２４とを有している。
【００６２】
改質した活物質はその後酸素雰囲気または炭酸雰囲気、フッ素雰囲気、水素雰囲気などで乾燥させると望ましい。これにより、より良好なバルク組成となる。この時、特に温度は限定しないが８００度以下が望ましい。なぜならば、粒子不均化が抑制できるからである。
【００６３】
上記バルク内改質処理において、フッ素化合物は電位、温度条件を変化させ生成させること事が望ましい。これにより、より緻密な膜が得られる。
特にフッ化リチウムはＬｉ挿入、脱離状態で４５度以上に保存し得る事が望ましい。
【００６４】
なお、得られた改質粒子は、炭素層を含んでいなくても良い。ただし、上記バルク内改質処理においてより均一な制御を求める場合、電位分布の低減などが必要であり、炭素層が存在することが望ましい。
【００６５】
浴槽２７内の有機溶媒２３として、炭酸エチレン、炭酸プロピレン、炭酸ジメチル、炭酸ジエチル、炭酸エチルメチル、炭酸フルオロメチルメチル、炭酸ジフルオロメチルメチルなどを用いることができる。
また、有機溶媒２３に含まれる電解質塩として、六フッ化リン酸リチウム（ＬｉＰＦ６）、四フッ化ホウ酸リチウム（ＬｉＢＦ４）などを用いることができる。
【００６６】
陽電極２１はＬｉ箔を用いてもよく、またＬｉ含有化合物でも良い。Ｌｉ含有化合物として、炭酸リチウム、酸化リチウム、オリビン鉄リチウム、コバルト酸リチウム、ニッケル酸リチウム、リチウムリン酸バナジウムなどがあげられる。
【００６７】
続いて、負極活物質粒子と、負極結着剤、導電助剤などの他の材料とを混合して、負極合剤とした後に、有機溶剤又は水などを加えてスラリーとする。
次に負極集電体１１の表面に、上記の負極合剤スラリーを塗布し、乾燥させて、負極活物質層１２を形成する。この時、必要に応じて加熱プレスなどを行ってもよい。
【００６８】
上述した負極によれば、バルク内に存在するＳｉＯ２成分を安定したＬｉ化合物へ変化させる事で電池初期効率の向上や、サイクル特性に伴う活物質の安定性が向上する。
【００６９】
特に、２９Ｓｉ−ＭＡＳ−ＮＭＲ  ｓｐｅｃｔｒｕｍから得られるケミカルシフト値として、−６０〜−１００ｐｐｍで与えられるＳｉ領域のピーク強度値Ａと−１００〜−１５０ｐｐｍに与えられるＳｉＯ２領域のピーク強度値Ｂが、Ａ／Ｂ≧０．８というピーク強度比の関係を満たすことが好ましく、その場合、バルク内部またはその表層にＬｉシリケート及び炭酸リチウムが生成するとより高い効果を得ることができる。
【００７０】
また、炭素材で負極活物質粒子を被覆する事でバルク内部の化合物状態をより均一化する事が可能であり、フッ化物、炭酸リチウムが表層に存在することで活物質としての安定性を向上させ、より高い効果を得ることができる。
【００７１】
さらに、バルク改質後もしくはバルク改質と同時進行で表層に耐水性層を設けると良い。
このようにすれば、スラリー化の際ゲル化が起こりづらくなると共に、バルク内Ｌｉ化合物が安定した状態を保たれるからである。
【００７２】
負極活物質の耐水性層は特に限定しないが、フッ素化合物が望ましい。特にポリテトラフルオロエチレン、ポリヘキサフルオロプロピレン、ポリパーフルオロケロセン、二炭酸ジ（トリフルオロメチル）が存在するとバルク内のＬｉ化合物が安定する。
【００７３】
また、負極活物質のケイ素系材料の表層に、陰イオンＯ２ＳｉＦ−、ＯＳｉＦ−のうち少なくとも１種以上を含むことが好ましい。なぜならば、特に表層での電解液反応を低減し、良好な電池特性が得られるからである。
これらの陰イオンの質量スペクトルは、ＴＯＦ−ＳＩＭＳ（Ｔｉｍｅ  ｏｆ  Ｆｌｉｇｈｔ−Ｓｅｃｏｎｄａｒｙ  Ｉｏｎ  Ｍａｓｓ  Ｓｐｅｃｔｒｏｓｃｏｐｙ）等の方法で測定することができる。
測定装置として、例えば、ＰＨＩ  ＴＲＩＦＴ  ２（アルバック・ファイ社製）を使用できる。また、例えば、一次イオン源をＧａ、試料温度を２５℃、加速電圧を５ｋＶ、スポットサイズを１００μｍ×１００μｍ、スパッタをＧａ、１００μｍ×１００μｍ、１０ｓに設定して測定できる。
このような、装置、条件で測定した負極活物質粒子の表層における陰イオン質量スペクトルを図５に示す。図５のように、ケイ素系材料の粒子の表層に、ＴＯＦ−ＳＩＭＳから得られるＯ２ＳｉＦ−、ＯＳｉＦ−を含む場合、所定の質量電荷比（ｍ／ｅ）でこれらの陰イオン質量スペクトルを測定できる。
【００７４】
また、負極活物質の表層のフッ素化合物以外の材料の結晶性は、Ｓｉ（１１１）面に起因する結晶子サイズおよび半値幅（２θ）から見積もられる。
特に半値幅（２θ）が１．２°以上、結晶子サイズが７．５ｎｍ以下の低結晶性材料が望ましい。このようなものであれば、良好な電池サイクル特性が得られるからである。
また、負極活物質の表層のフッ素化合物以外の材料は、実質的に非結晶が望ましい。これは、Ｓｉ結晶核が減少するため、より高い電池特性が得られるからである。
【００７５】
また、負極集電体１１が炭素および硫黄を９０ｐｐｍ以下含んでいれば、より高い電池特性を得ることができる。
【００７６】
さらに、この負極は炭素系活物質を含み、負極活物質材の総量に対するケイ素系活物質の比が６ｗｔ％以上であることが好ましい。
このようなものであれば、電池の体積エネルギー密度（Ｗｈ／ｌ）を向上させることができる。
【００７７】
＜リチウムイオン二次電池＞
次に、上記したリチウムイオン二次電池用負極を用いたリチウムイオン二次電池について、図３を参照しながら説明する。
【００７８】
［ラミネートフィルム型二次電池の構成］
図３に示すラミネートフィルム型二次電池３０は、主にシート状の外装部材３５の内部に倦回電極体３１が収納されたものである。この倦回体は正極、負極間にセパレータを有し、倦回されたものである。また正極、負極間にセパレータを有し積層体を収納した場合も存在する。
どちらの電極体においても、正極に正極リード３２が取り付けられ、負極に負極リード３３が取り付けられている。電極体の最外周部は保護テープにより保護されている。
【００７９】
正負極リードは、例えば、外装部材３５の内部から外部に向かって一方向で導出されている。正極リード３２は、例えば、アルミニウムなどの導電性材料により形成され、負極リード３３は、例えば、ニッケル、銅などの導電性材料により形成される。
【００８０】
外装部材３５は、例えば、融着層、金属層、表面保護層がこの順に積層されたラミネートフィルムであり、このラミネートフィルムは融着層が電極体３１と対向するように、２枚のフィルムの融着層における外周縁部同士が融着、又は、接着剤などで張り合わされている。
融着部は、例えばポリエチレンやポリプロピレンなどのフィルムであり、金属部はアルミ箔などである。保護層は例えば、ナイロンなどである。
【００８１】
外装部材３５と正負極リード３２、３３との間には、外気侵入防止のため密着フィルム３４が挿入されている。この材料は、例えば、ポリエチレン、ポリプロピレン、ポリオレフィン樹脂である。
【００８２】
［正極］
正極は、例えば、図１の負極１０と同様に、正極集電体の両面または片面に正極活物質層を有している。
【００８３】
正極集電体は、例えば、アルミニウムなどの導電性材により形成されている。
正極活物質層は、リチウムイオンの吸蔵放出可能な正極材のいずれか１種または２種以上を含んでおり、設計に応じて結着剤、導電助剤、分散剤などの他の材料を含んでいてもよい。この場合、結着剤、導電助剤に関する詳細は、例えば、既に記述した負極結着剤、負極導電助剤と同様とすることができる。
【００８４】
正極材料としては、リチウム含有化合物が望ましい。このリチウム含有化合物は、例えば、リチウムと遷移金属元素からなる複合酸化物、またはリチウムと遷移金属元素を有するリン酸化合物があげられる。これらの正極材の中でも、ニッケル、鉄、マンガン、コバルトの少なくとも１種以上を有する化合物が好ましい。
これらの正極材の化学式は、例えば、ＬｉｘＭ１Ｏ２、又は、ＬｉｙＭ２ＰＯ４で表される。上記の化学式中、Ｍ１、Ｍ２は少なくとも１種以上の遷移金属元素を示しており、ｘ、ｙの値は電池充放電状態によって異なる値を示すが、一般的に、０．０５≦ｘ≦１．１０、０．０５≦ｙ≦１．１０で示される。
【００８５】
リチウムと遷移金属元素とを有する複合酸化物としては、例えば、リチウムコバルト複合酸化物（ＬｉｘＣｏＯ２）、リチウムニッケル複合酸化物（ＬｉｘＮｉＯ２）などが挙げられ、リチウムと遷移金属元素とを有するリン酸化合物としては、例えば、リチウム鉄リン酸化合物（ＬｉＦｅＰＯ４）、リチウム鉄マンガンリン酸化合物（ＬｉＦｅ１−ｕＭｎｕＰＯ４（０＜ｕ＜１））などが挙げられる。上記の正極材を用いれば、高い電池容量が得られるともに、優れたサイクル特性を得られる。
【００８６】
［負極］
負極は、上記した図１のリチウムイオン二次電池用負極１０と同様の構成を有し、例えば、集電体の両面に負極活物質層を有している。この負極は、正極活物質剤から得られる電気容量（電池としての充電容量）に対して、負極充電容量が大きくなることが好ましい。これにより、負極上でのリチウム金属の析出を抑制することができる。
【００８７】
正極活物質層は、正極集電体の両面の一部に設けられており、負極活物質層も負極集電体の両面の一部に設けられている。この場合、例えば、負極集電体上に設けられた負極活物質層は対向する正極活物質層が存在しない領域が設けられている。これは、安定した電池設計を行うためである。
【００８８】
上記の負極活物質層と正極活物質層とが対向しない領域では、充放電の影響をほとんど受けることが無い。そのため、負極活物質層の状態が形成直後のまま維持され、これによって負極活物質の組成など、充放電の有無に依存せずに再現性良く組成などを正確に調べることができる。
【００８９】
［セパレータ］
セパレータは正極、負極を隔離し、両極接触に伴う電流短絡を防止しつつ、リチウムイオンを通過させるものである。このセパレータは、例えば、合成樹脂、あるいはセラミックからなる多孔質膜により形成されており、２種以上の多孔質膜が積層された積層構造を有しても良い。合成樹脂として、例えば、ポリテトラフルオロエチレン、ポリプロピレン、ポリエチレンなどが挙げられる。
【００９０】
［電解液］
活物質層の少なくとも一部、又は、セパレータには、液状の電解質（電解液）が含浸されている。この電解液は、溶媒中に電解質塩が溶解されており、添加剤など他の材料を含んでいても良い。
【００９１】
溶媒は、例えば、非水溶媒を用いることができる。非水溶媒としては、例えば、炭酸エチレン、炭酸プロピレン、炭酸ブチレン、炭酸ジメチル、炭酸ジエチル、炭酸エチルメチル、炭酸メチルプロピル、１、２−ジメトキシエタン、テトラヒドロフランなどが挙げられる。この中でも、炭酸エチレン、炭酸プロピレン、炭酸ジメチル、炭酸ジエチル、炭酸エチルメチルのうちの少なくとも１種以上を用いることが望ましい。より良い特性が得られるからである。
またこの場合、炭酸エチレン、炭酸プロピレンなどの高粘度溶媒と、炭酸ジメチル、炭酸エチルメチル、炭酸ジエチルなどの低粘度溶媒とを組み合わせて用いることで、電解質塩の解離性やイオン移動度を向上させることができる。
【００９２】
合金系負極を用いる場合、特に溶媒として、ハロゲン化鎖状炭酸エステル、又は、ハロゲン化環状炭酸エステルのうち少なくとも１種を含んでいることが望ましい。
これにより、充放電時、特に充電時において、負極活物質表面に安定な被膜が形成される。
ここで、ハロゲン化鎖状炭酸エステルとは、ハロゲンを構成元素として有する（少なくとも１つの水素がハロゲンにより置換された）鎖状炭酸エステルである。また、ハロゲン化環状炭酸エステルとは、ハロゲンを構成元素として有する（すなわち、少なくとも１つの水素がハロゲンにより置換された）環状炭酸エステルである。
【００９３】
ハロゲンの種類は特に限定されないが、フッ素が好ましい。これは、他のハロゲンよりも良質な被膜を形成するからである。また、ハロゲン数は多いほど望ましい。これは、得られる被膜がより安定的であり、電解液の分解反応が低減されるからである。
【００９４】
ハロゲン化鎖状炭酸エステルは、例えば、炭酸フルオロメチルメチル、炭酸ジフルオロメチルメチルなどが挙げられる。ハロゲン化環状炭酸エステルとしては、４−フルオロ−１，３−ジオキソラン−２−オン、４，５−ジフルオロ−１，３−ジオキソラン−２−オンなどが挙げられる。
【００９５】
溶媒添加物として、不飽和炭素結合環状炭酸エステルを含んでいることが好ましい。これは、充放電時に負極表面に安定な被膜が形成され、電解液の分解反応が抑制できるからである。不飽和炭素結合環状炭酸エステルとしては、例えば炭酸ビニレン、炭酸ビニルエチレンなどが挙げられる。
【００９６】
また、溶媒添加物として、スルトン（環状スルホン酸エステル）を含んでいることも好ましい。これは、電池の化学的安定性が向上するからである。スルトンとしては、例えば、プロパンスルトン、プロペンスルトンが挙げられる。
【００９７】
さらに、溶媒は、酸無水物を含んでいることが好ましい。これは、電解液の化学的安定性が向上するからである。酸無水物としては、例えば、プロパンジスルホン酸無水物が挙げられる。
【００９８】
電解質塩は、例えば、リチウム塩などの軽金属塩のいずれか１種類以上含むことができる。リチウム塩としては、例えば、六フッ化リン酸リチウム（ＬｉＰＦ６）、四フッ化ホウ酸リチウム（ＬｉＢＦ４）などが挙げられる。
【００９９】
電解質塩の含有量は、溶媒に対して０．５ｍｏｌ／ｋｇ以上２．５ｍｏｌ／ｋｇ以下であることが好ましい。これは、高いイオン伝導性が得られるからである。
【０１００】
［ラミネートフィルム型二次電池の製造方法］
最初に上記した正極材を用い正極電極を作成する。
先ず、正極活物質と、必要に応じて結着剤、導電助剤などを混合し正極合剤としたのち、有機溶剤に分散させ正極合剤スラリーとする。
続いて、ナイフロールまたはダイヘッドを有するダイコーターなどのコーティング装置で正極集電体に合剤スラリーを塗布し、熱風乾燥させて正極活物質層を得る。
最後に、ロールプレス機などで正極活物質層を圧縮成型する。この時、加熱しても良く、また圧縮を複数回繰り返しても良い。
【０１０１】
次に、上記したリチウムイオン二次電池用負極１０と同様の作業手順を用い、負極集電体に負極活物質層を形成し負極を作成する。
【０１０２】
正極及び負極を上記した同様の作製手順により作製する。この場合、正極及び負極集電体の両面にそれぞれの活物質層を形成する。この時、どちらの電極においても両面部の活物質塗布長がずれていても良い（図１参照）。
【０１０３】
続いて、電解液を調整する。続いて、超音波溶接などにより、正極集電体に正極リード３２を取り付けると共に、負極集電体に負極リード３３を取り付ける。
続いて、正極と負極とをセパレータを介して積層、または倦回させて倦回電極体３１を作製し、その最外周部に保護テープを接着させる。次に、扁平な形状となるように巻回体を成型する。
続いて、折りたたんだフィルム状の外装部材の間に倦回電極体を挟み込んだ後、熱融着法により外装部材３５の絶縁部同士を接着させ、一方向のみ解放状態にて、倦回電極体を封入する。次に、正極リード、および負極リードと外装部材の間に密着フィルムを挿入する。
そして、解放部から上記調整した電解液を所定量投入し、真空含浸を行う。含浸後、解放部を真空熱融着法により接着させる。
以上のようにして、ラミネートフィルム型二次電池３０を製造することができる。
【実施例】
【０１０４】
以下、本発明の実施例及び比較例を示して本発明をより具体的に説明するが、本発明はこれらに限定されるものではない。
【０１０５】
（実施例１−１〜実施例１−５、比較例１−１〜比較例１−５）
以下の手順により、図３に示したラミネートフィルム型リチウム二次電池３０を作製した。
最初に正極を作成した。正極活物質はリチウムコバルト複合酸化物であるＬｉＣｏＯ２を９５質量％と、正極導電助剤２．５質量％と、正極結着剤（ポリフッ化ビニリデン：ＰＶＤＦ）２．５質量％とを混合し正極合剤とした。続いて、正極合剤を有機溶剤（Ｎ−メチル−２−ピロリドン：ＮＭＰ）に分散させてペースト状のスラリーとした。続いてダイヘッドを有するコーティング装置で正極集電体の両面にスラリーを塗布し、熱風式乾燥装置で乾燥した。この時正極集電体は厚み１５μｍを用いた。最後にロールプレスで圧縮成型を行った。
【０１０６】
次に負極を作成した。負極活物質は金属ケイ素と二酸化ケイ素を混合した原料を反応炉へ設置し、１０Ｐａの真空化で１４００℃の熱をかけ反応、堆積し、十分に冷却した後、堆積物を取出しボールミルで粉砕しケイ素系材料を作製した。
このケイ素系材料の粒径を調整した後、必要に応じて熱分解ＣＶＤを行う事で炭素層を得た。作成した粉末はプロピレンカーボネート及びエチレンカーボネート、ジメチルカーボネートの１：１：１混合溶媒（電解質塩１．３ｍｏｌ／ｋｇ）中で電気化学法を用いバルク改質を行った。
得られた負極活物質粒子は必要に応じて炭酸雰囲気下で乾燥処理を行っている。続いて、負極活物質粒子と負極結着剤の前駆体、導電助剤１と導電助剤２とを８０：８：１０：２の乾燥重量比で混合したのち、純水で希釈してペースト状の負極合剤スラリーとした。この場合には、ポリアクリル酸（分子量：１００万）を用いた。
続いて、コーティング装置で負極集電体の両面に負極合剤スラリーを塗布してから乾燥させた。この負極集電体としては、電解銅箔（厚さ＝１５μｍ）を用いた。
最後に、９０℃の真空雰囲気中で３時間乾燥した。
【０１０７】
次に、溶媒（４−フルオロ−１，３−ジオキソラン−２−オン（ＦＥＣ）、エチレンカーボネート（ＥＣ）、及びジメチルカーボネート（ＤＭＣ））を混合した後、電解質塩（六フッ化リン酸リチウム：ＬｉＰＦ６）を溶解させて電解液を調製した。この場合には、溶媒の組成を体積比でＦＥＣ：ＥＣ：ＤＭＣ＝１０：２０：７０とし、電解質塩の含有量を溶媒に対して１．２ｍｏｌ／ｋｇとした。
【０１０８】
次に、以下のようにして二次電池を組み立てた。
最初に正極集電体の一端にアルミリードを超音波溶接し、負極集電体にはニッケルリードを溶接した。
続いて正極、セパレータ、負極、セパレータをこの順に積層し、長手方向に倦回させ倦回電極体を得た。その捲き終わり部分をＰＥＴ保護テープで固定した。セパレータは多孔性ポリプロピレンを主成分とするフィルムにより多孔性ポリエチレンを主成分とするフィルムに挟まれた積層フィルム１２μｍを用いた。
続いて、外装部材間に電極体を挟んだのち、一辺を除く外周縁部同士を熱融着し、内部に電極体を収納した。外装部材はナイロンフィルム、アルミ箔、及びポリプロピレンフィルムが積層されたアルミラミネートフィルムを用いた。
続いて、開口部から調整した電解液を注入し、真空雰囲気下で含浸した後、熱融着し封止した。
【０１０９】
ここで、実施例１−１〜実施例１−５及び比較例１−１〜比較例１−５において、ＳｉＯｘのｘは０．３〜１．８に変化させ、２９Ｓｉ−ＭＡＳ−ＮＭＲ  スペクトルから得られるケミカルシフト値として−６０〜−１００ｐｐｍで与えられるＳｉ領域のピーク強度値Ａと、−１００〜−１５０ｐｐｍに与えられるＳｉＯ２領域のピーク強度値Ｂの比：Ａ／Ｂは２に固定した。このとき、バルク内酸素量（ＳｉＯｘのｘの値）は、気化出発材の比率や温度を変化させて、堆積される酸素量を調整した。
また、電気化学法においてＬｉ挿入、Ｌｉ離脱条件を変化させて、生成する物質を制御し、バルク内に生成される物質をＬｉ６Ｓｉ２Ｏ７、Ｌｉ２Ｓｉ３Ｏ５、Ｌｉ４ＳｉＯ４とした。
また、負極を作製する際に使用した負極活物質は、負極活物質の表層にポリテトラフルオロエチレン、ポリヘキサフルオロプロピレン、ポリパーフルオロケロセンを含み、鱗珪石構造を有するＳｉＯ２を含むものとした。ただし、比較例１−２〜１−４のみ、表層にポリテトラフルオロエチレン、ポリヘキサフルオロプロピレン、ポリパーフルオロケロセンのいずれも含まない負極活物質を使用した。尚、鱗珪石構造を有するＳｉＯ２は、ＳｉＯｘ材の析出板温度、レート、炭素層堆積時の反応温度を制御する事で生成した。
【０１１０】
また、実施例１−１〜実施例１−５、比較例１−１、比較例１−３、及び比較例１−５においては、負極活物質の表層に二炭酸ジ（トリフルオロメチル）をディップコートし、ＸＲＤにて被覆した二炭酸ジ（トリフルオロメチル）の結晶化の有無を確認し、その後、容量維持率、初期効率を測定した。尚、比較例１−３にて、負極活物質の表層にディップコートした二炭酸（トリフルオロメチル）は、ＸＲＤにてそのピークが確認できず、付着状態が不完全であり結晶化は無いと判断した。
Ｌｉ反応サイトをＬｉで低減するため、その後電池評価へ移行した際、ゲル化対策及び耐水性が求められる。そのため、溶剤系、水系どちらのスラリーにおいても対応できるように表層に二炭酸ジ（トリフルオロメチル）をディップコートする。この時、ディップ後の粉末分離手法に応じてフッ素化合物の結晶化の有無が決まる。耐水性の向上、ゲル化の抑制にはフッ素化合物が結晶化していることが望ましい。
【０１１１】
一方で、比較例１−２及び比較例１−４については、表層に結晶化したフッ素化合物と−ＣＦ２−ＣＦ２−単位を有するフッ素化合物のいずれの化合物も含んでいない負極活物質を使用した。
【０１１２】
更に、ケイ素系材料の表層部がＴＯＦ−ＳＩＭＳ  スペクトルから得られる陰イオンである、Ｏ２ＳｉＦ−、ＯＳｉＦ−を含み、表層部に炭素、炭酸リチウム、フッ化リチウム含むものとした。
また、負極活物質粒子のメジアン径は４μｍであり、負極活物質のＸ線回折により得られる（１１１）結晶面に起因する回折ピークの半値幅（２θ）は２．５９°であり、負極活物質のＳｉ（１１１）結晶子は３．２ｎｍであった。
【０１１３】
実施例１−１〜実施例１−５及び比較例１−１〜比較例１−５について、二次電池のサイクル特性および初回充放電特性を調べた。
【０１１４】
サイクル特性については、以下のようにして調べた。
最初に、電池安定化のため２５℃の雰囲気下、２サイクル充放電を行い、２サイクル目の放電容量を測定した。
続いて、総サイクル数が１００サイクルとなるまで充放電を行い、その都度放電容量を測定した。
最後に、１００サイクル目の放電容量を２サイクル目の放電容量で割り、容量維持率を算出した。
なお、サイクル条件として、４．３Ｖに達するまで定電流密度、２．５ｍＡ／ｃｍ２で充電し、電圧が４．３Ｖに達した段階で４．３Ｖ定電圧で電流密度が０．２５ｍＡ／ｃｍ２に達するまで充電した。また、放電時は２．５ｍＡ／ｃｍ２の定電流密度で電圧が２．８Ｖに達するまで放電した。
【０１１５】
初回充放電特性については、初期効率（％）＝（初回放電容量／初回充電容量）×１００を算出した。
なお、雰囲気及び温度はサイクル特性を調べた場合と同様にし、充放電条件はサイクル特性の０．２倍で行った。すなわち、４．３Ｖに達するまで定電流密度、０．５ｍＡ／ｃｍ２で充電し、電圧が４．３Ｖに達した段階で４．３Ｖ定電圧で電流密度が０．０５ｍＡ／ｃｍ２に達するまで充電し、放電時は０．５ｍＡ／ｃｍ２の定電流密度で電圧が２．５Ｖに達するまで放電した。
【０１１６】
実施例１−１〜実施例１−５及び比較例１−１〜比較例１−５の測定結果を表１に示す。
【０１１７】
【表１】
2015149221.tif 000003
【０１１８】
表１に示すように、酸素が十分にない場合（ｘ＝０．３）、すなわちＳｉＯｘのｘの値が０．５未満である場合、初期効率が著しく悪化する。また、酸素量が多い場合（ｘ＝１．８）、すなわちＳｉＯｘのｘの値が１．６より大きい場合、導電性の低下が生じＳｉＯ材の容量が設計通り発現しなかったため評価を中断している。
【０１１９】
（実施例２−１〜実施例２−３、比較例２−１）
実施例１−３と同様にして二次電池を作製した。ただし、電気化学法におけるＬｉ挿入、Ｌｉ離脱条件を変化させて、生成する物質を制御し、バルク内に生成される物質を変化させた。更に、ＳｉＯｘのｘはｘ＝１に固定した。尚、比較例２−１は、バルク内に、Ｌｉ６Ｓｉ２Ｏ７、Ｌｉ２Ｓｉ３Ｏ５、Ｌｉ４ＳｉＯ４のいずれのＬｉ化合物も含まない場合である。
また、生成後にガス雰囲気を調整し熱乾燥させる事で含有物の状態を変化させ、より安定な材質を実現した。
例えば、Ｌｉ４ＳｉＯ４は二酸化炭素雰囲気下で熱を加える事でＬｉ２ＳｉＯ３とＬｉ２ＣＯ３に分かれる。これらの反応などを取り入れ、最適なバルク状態を実現する事によって維持率、初期効率の向上を実現した。
得られたＬｉ化合物は、上記のＸＰＳで確認可能であり、例えばＬｉ４ＳｉＯ４は５３２ｅＶ付近での結合エネルギーで、Ｌｉ２ＳｉＯ３は５３０ｅＶ付近の結合エネルギーで確認できる。または、２９Ｓｉ−ＭＡＳ−ＮＭＲ  ｓｐｅｃｔｒｕｍでも確認可能である。
生成されるＬｉ化合物は実質的に非晶質が望ましい。非晶質であれば、負極活物質の抵抗を増加させることがほぼ無いからである。
結晶化度の変化はＬｉの挿入、脱離後に非大気雰囲気下の熱処理で制御可能である。
以後、バルク内のＬｉ化合物は非晶質状態で実験を行った。
【０１２０】
実施例１−３と同様にして、二次電池のサイクル特性および初回充放電特性を調べた。実施例２−１〜実施例２−３、比較例２−１の測定結果を表２に示す。
【０１２１】
【表２】
2015149221.tif 000004
【０１２２】
表２に示すように、バルク内にＬｉ６Ｓｉ２Ｏ７、Ｌｉ２Ｓｉ３Ｏ５、Ｌｉ４ＳｉＯ４のいずれのＬｉ化合物も含まない場合、容量維持率と初期効率が共に著しく悪化してしまった。
【０１２３】
（実施例３−１〜３−５）
実施例１−３と同様にして二次電池を作製した。ただし、２９Ｓｉ−ＭＡＳ−ＮＭＲ  スペクトルから得られるケミカルシフト値として−６０〜−１００ｐｐｍで与えられるＳｉ領域のピーク強度値Ａと、−１００〜−１５０ｐｐｍに与えられるＳｉＯ２領域のピーク強度値Ｂの比であるＡ／Ｂの値を変化させた。これは、バルク内に生成するＳｉとＳｉＯ２の成分比を変化させることにより、Ａ／Ｂの値を変化させた。
【０１２４】
実施例１−３と同様にして、二次電池のサイクル特性および初回充放電特性を調べた。実施例３−１〜実施例３−５の測定結果を表３に示す。
【０１２５】
【表３】
2015149221.tif 000005
【０１２６】
表３に示すように、２９Ｓｉ−ＭＡＳ−ＮＭＲ  スペクトルから得られるケミカルシフトのＳｉＯ２領域のピーク値強度値Ｂが小さくなり、Ａ／Ｂが０．８以上となる場合に高い電池特性が得られた。このように、Ｌｉ反応サイトであるＳｉＯ２部を予め減らすことで電池の初期効率が向上すると共に、安定したＬｉ化合物がバルク内、または表面に存在する事で充放電に伴う電池劣化の抑制が可能となることが分かった。
【０１２７】
（実施例４−１〜実施例４−９）
実施例１−３と同様にして二次電池を作製した。ただし、負極活物質のＸ線回折により得られる（１１１）結晶面に起因する回折ピークの半値幅（２θ）と、負極活物質のＳｉ（１１１）結晶子の値を下記の表４に示すように変化させた。
【０１２８】
実施例１−３と同様にして、二次電池のサイクル特性および初回充放電特性を調べた。実施例４−１〜実施例４−９の測定結果を表４に示す。
【０１２９】
【表４】
2015149221.tif 000006
【０１３０】
負極活物質の結晶性を変化させたところ、表４に示すように、それらの結晶性に応じて容量維持率および初回効率が変化した。
特に半値幅（２θ）が１．２°以上で、尚且つＳｉ（１１１）面に起因する結晶子サイズが７．５ｎｍ以下の低結晶性材料で高い容量維持率、初期効率が得られた。特に、非結晶領域では最も良い特性が得られる。実施例４−９では半価幅を２０°以上と算出しているが、解析ソフトを用いフィッティングした結果であり、実質的にピークは得られていない。よって、実施例４−９における負極活物質は実質的に非晶質であると言える。
【０１３１】
（実施例５−１〜実施例５−３）
実施例１−３と同様にして二次電池を作製した。ただし、負極活物質の表層に−ＣＦ２−ＣＦ２−単位を有するフッ素化合物を、ポリテトラフルオロエチレン、ポリヘキサフルオロプロピレン、ポリパーフルオロケロセンの三種類の中から選択し、選択する化合物の組み合わせを変化させてディップコートした。
【０１３２】
実施例１−３と同様にして、二次電池のサイクル特性および初回充放電特性を調べた。実施例５−１〜実施例５−３の測定結果を表５に示す。
【０１３３】
【表５】
2015149221.tif 000007
【０１３４】
表５に示すように、−ＣＦ２−ＣＦ２−単位を有するフッ素化合物を、特に、ポリテトラフルオロエチレン、ポリヘキサフルオロプロピレン、ポリパーフルオロケロセンの三種類の中から選択することで、高い容量維持率と初期効率が得られることが分かった。
これは、これらの化合物で、Ｌｉ反応サイトであるＳｉＯ２部を予め減らすことで電池初期効率が向上するとともに、安定したＬｉ化合物がバルク内、または表面に存在することができ、充放電に伴う電池劣化の抑制が可能となったためと考えられる。
【０１３５】
（実施例６−１〜実施例６−５）
実施例１−３と同様にして二次電池を作製した。ただし、ラミネートフィルム型リチウム二次電池３０の負極は炭素系活物質を含むものとし、負極活物質材の総量に対するケイ素系活物質の比を下記の表６のように変化させた。このときの、ケイ素系活物質は、実施例２−１〜実施例２−３と同様のＳｉＯ（ｘ＝１）であった。
また、負極に含まれる炭素系活物質は天然黒鉛と人造黒鉛を５０：５０の比で使用した。
【０１３６】
次に、実施例６−１〜実施例６−５における、二次電池の容量増加率を調べた。実施例６−１〜実施例６−５の測定結果を表６に示す。
【０１３７】
【表６】
2015149221.tif 000008
【０１３８】
表６に示す二次電池の電池容量の増加率（Ｗｈ％）は、上記ケイ素系活物質の比率を０ｗｔ％とした場合の電池容量を基準として算出している。ケイ素系活物質の比率が高くなるほどＳｉＯ放電電位が炭素材に対して受ける影響が小さくなり電池容量の増加が見込める。
また、負極に含まれる天然黒鉛は膨張収縮を繰り返すケイ素系活物質の緩衝剤としての役割を持つ。また人造黒鉛は高いサイクル維持率を得る事ができる。
【０１３９】
ここで、図６に負極活物質材の総量に対するケイ素系活物質の比率と二次電池の電池容量の増加率との関係を表すグラフを示す。
図６中のａで示す曲線は、本発明の負極活物質中においてケイ素系活物質の比率を増加させた場合の電池容量の増加率を示している。一方、図６中のｂで示す曲線はＬｉをドープしていないケイ素系活物質の比率を増加させた場合の電池容量の増加率を示している。
図６に示すように、曲線ａはケイ素系活物質の比率が６ｗｔ％以上となる範囲で、曲線ｂよりも電池容量の増加率が特に大きくなり、ケイ素系活物質の比率が高くなるにつれて、その差は広がっていく。以上の表６及び図６の結果より、本発明において、負極活物質中でのケイ素系活物質の比率が６ｗｔ％以上となると電池容量の増加率は従来に比べて大きくなり、このことから負極活物質の体積エネルギー密度が、上記比率の範囲で特に顕著に増加することが分かった。
【０１４０】
（実施例７−１）
実施例１−３と同様にして二次電池を作製した。ただし、ケイ素系材料の表層部がＴＯＦ−ＳＩＭＳ  スペクトルから得られる陰イオンである、Ｏ２ＳｉＦ−、ＯＳｉＦ−を含まないものとした。
【０１４１】
実施例１−３と同様にして、二次電池のサイクル特性および初回充放電特性を調べた。実施例７−１の測定結果を表７に示す。
【０１４２】
【表７】
2015149221.tif 000009
【０１４３】
表７に示すように、ケイ素系材料の表層部に陰イオン質量スペクトルとしてＯ２ＳｉＦ−、ＯＳｉＦ−が存在すると、電解液との反応を抑制し電池維持率を向上させることができることが確認された。
【０１４４】
（実施例８−１〜実施例８−３）
実施例１−３と同様にして二次電池を作製した。ただし、負極活物質中のケイ素系材料の表層に被覆する物質を炭素層、フッ素化合物層、炭酸リチウム層の三種類の中から選択し、Ｌｉ化合物生成と同時に電位、電流を制御し、また溶媒中での加温保持などを用いる事によって選択する化合物の組み合わせ下記の表８に示すように変化させた。
【０１４５】
実施例１−３と同様にして、二次電池のサイクル特性および初回充放電特性を調べた。実施例８−１〜実施例８−３の測定結果を表８に示す。
【０１４６】
【表８】
2015149221.tif 000010
【０１４７】
表８に示すように、炭素、炭酸リチウム、フッ化リチウムのうちの少なくとも１種にて被覆されたものであれば高い初期効率が得られることが確認された。また、炭素、炭酸リチウム、フッ化リチウムの３種類の物質の中で、被覆する物質の種類が多くなる程初期効率が向上することが確認された。
【０１４８】
（実施例９−１）
実施例１−３と同様にして二次電池を作製した。ただし、バルク内部に鱗珪石構造を有するＳｉＯ２を生成させなかった。
【０１４９】
実施例１−３と同様にして、二次電池のサイクル特性および初回充放電特性を調べた。実施例９−１の測定結果を表９に示す。
【０１５０】
【表９】
2015149221.tif 000011
【０１５１】
表９に示すように、鱗珪石構造を有することで容量維持率が向上した。これは、鱗珪石構造が生成する事で充電に伴う活物質の割れが抑制されるためと考えられる。
【０１５２】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。
【符号の説明】
【０１５３】
１０…負極、  １１…負極集電体、  １２…負極活物質層、
２０…バルク内改質装置、  ２１…陽電極（リチウム源、改質源）、
２２…酸化ケイ素粉末、  ２３…有機溶媒、  ２４…セパレータ、
２５…粉末格納容器、  ２６…電源、  ２７…浴槽、
３０…リチウム二次電池（ラミネートフィルム型）、  ３１…電極体、
３２…正極リード（正極アルミリード）、
３３…負極リード（負極ニッケルリード）、  ３４…密着フィルム、
３５…外装部材。
【図１】
2015149221.tif 000012
【図２】
2015149221.tif 000013
【図３】
2015149221.tif 000014
【図４】
2015149221.tif 000015
【図５】
2015149221.tif 000016
【図６】
2015149221.tif 000017